(57)【要約】【課題】安価で、効果的にバラストタンク内に存在する生物を死滅させるバラスト水の処理方法を提供すること。また、その処理方法を用いてバラスト水を積込み地で排出可能な船舶を提供すること。【解決手段】バラスト水の処理方法は、水と接触すると水のｐＨが上昇する固体とバラスト水とを接触させる。また、本発明の船舶は、バラストタンク内で水と接触すると水のｐＨが上昇する固体と、バラスト水とを接触させる手段を有する。【選択図】  なし【特許請求の範囲】
【請求項１】
水と接触すると水のｐＨが上昇する固体と、バラスト水とを接触させることを特徴とするバラスト水の処理方法。
【請求項２】
船舶のバラストタンク内で、前記固体と前記バラスト水とを接触させることを特徴とする請求項１記載のバラスト水の処理方法。
【請求項３】
前記固体が、金属製錬スラグ又はコンクリート廃材であることを特徴とする請求項１または２に記載のバラスト水の処理方法。
【請求項４】
前記バラスト水のｐＨを１０以上に上昇させることを特徴とする請求項１〜３のいずれか１項記載のバラスト水の処理方法。
【請求項５】
バラストタンク内で水と接触すると水のｐＨが上昇する固体と、バラスト水とを接触させる手段を有することを特徴とする船舶。
【請求項６】
前記固体が金属製錬スラグ又はコンクリート廃材であることを特徴とする請求項５記載の船舶。
【発明の詳細な説明】
【０００１】
【発明の属する技術分野】
本発明はバラスト水の処理方法に関する。更に詳細には、船舶のバラストタンク内に存在する有害プランクトン等の生物を死滅させることによりバラスト水を無害化し、荷物の積込み地でのバラスト水の排出を可能とし、海洋環境を保護することのできる、バラスト水の処理方法に関する。
【０００２】
【従来の技術】
原油や鉄鉱石等の貨物用船舶には、航行の安定性をはかるためバラストタンクが設けられている。一般に、貨物が積載されていない時にはバラストタンク内にバラスト水と呼ばれる海水を漲水し、貨物を積込む際にはバラスト水を排出することによって、船体の浮力を調整して船体を安定に保つことが行われている。
【０００３】
バラスト水は、通常、寄港地の海水を利用しているため、寄港地付近の海に生息する微小生物が大量に混入している。このバラスト水を目的地の湾内で排出することは、外来の微小生物を湾内に大量に放出することとなり、生態系を破壊するおそれがある。このため、航海途中の洋上でバラスト水を交換することが行われている。しかしながら、バラスト水の交換は、エネルギーと時間が余分にかかるためコストアップにつながり、さらに交換作業中には安全上の問題もある。また、バラスト水を洋上で交換しても、交換を行った海域を汚染することになるので環境保護の観点からも好ましくない。そのため、バラスト水を排出する前に、バラスト内に生存する微小生物を死滅、不活性化あるいは除去して、バラスト水を無害化することも提案されている。
【０００４】
バラスト内に生存する微小生物を死滅、不活性化あるいは除去する方法としては、例えば、微小生物を濾し取って除去するフィルタリング、エンジンやボイラーの廃熱等を利用してバラスト水を加熱する方法、せん断力とキャビテーションで微小生物を破壊する方法、吸引チャンバーを用いて溶存酸素を除去する酸素除去法、空気及び窒素と空気の超過飽和状態から減圧するガス過飽和法、水酸基ラジカル等の強い酸化物質を発生させる電気化学処理法、紫外線ランプを照射する紫外線殺菌法、塩素を投入する塩素殺菌法、オゾンガスを吹き込むオゾン殺菌法、消毒薬を投入する化学処理法等が挙げられる。また、上記方法を２つ以上組み合わせて行う場合もある。
しかしながら、上記の方法は特別な設備を必要とするため、輸送コストの上昇につながる。また、上記の方法には、休眠シストに対して充分な効果が得られない場合があるため、赤潮の原因となる有害プランクトンの移動を防ぐことは困難であった。
【０００５】
【発明が解決しようとする課題】
したがって、本発明の目的は、安価で、効果的にバラストタンク内に存在する生物を死滅させることのできる、バラスト水の処理方法を提供することにある。また、その処理方法を用いてバラスト水を積込み地で排出可能な船舶を提供することにある。
【０００６】
【課題を解決するための手段】
本発明のバラスト水の処理方法は、水と接触すると水のｐＨが上昇する固体とバラスト水とを接触させることを特徴とし、バラスト水のｐＨを上昇させて、バラスト水に含まれているプランクトン等の生物を死滅させる。
ここで、水と接触すると水のｐＨが上昇する固体とバラスト水との接触は、船舶のバラストタンク内で行われることが好ましい。
また、前記固体としては、塩基性物質を含有しているものが挙げられる。
また、前記固体としては、金属製錬スラグ及びコンクリート廃材が挙げられる。
さらに、バラスト水のｐＨは、１０以上に上昇させることが好ましい。
【０００７】
本発明の船舶は、バラストタンク内で、水と接触すると水のｐＨが上昇する固体と、バラスト水とを接触させる手段を有することを特徴とする。
ここで、前記固体としては、鉄鋼スラグ及びコンクリート廃材が挙げられる。
【０００８】
【発明の実施の形態】
本発明のバラスト水の処理方法は、水と接触すると水のｐＨが上昇する固体とバラスト水とを接触させる処理方法であって、バラスト水のｐＨが上昇することにより、バラスト水に含まれている生物を死滅させることができる。
本発明において、バラスト水に含まれている生物とは、主にウイルス、細菌、カビ、酵母、藻類や原生動物等のプランクトンを意味し、特には有害プランクトンを意味する。また、本発明において、生物を死滅させるとは、完全に生物を死滅させることのみならず、生物を不活性化することも含むものとする。
【０００９】
本発明で用いる水と接触すると水のｐＨが上昇する固体としては、例えば、水に溶解するとアルカリ性を示す塩基性物質を含有する固体が挙げられる。塩基性物質としては、特に限定されるものではないが、例えば酸化カルシウム、酸化ナトリウム、酸化カリウム等が挙げられる。
【００１０】
本発明において用いられる固体としては、例えば、鉄鋼スラグ及びコンクリート廃材が挙げられる。金属製錬スラグ及びコンクリート廃材を用いることは、コストの点、又は副生品を利用できるという観点から好ましい。
金属製錬スラグは、一般に石灰（ＣａＯ）及びシリカ（ＳｉＯ２）を主成分としており、水に接触させると、主成分として含まれる石灰が水に溶出してアルカリ性を示すものであり、鉄鋼スラグと非鉄製錬スラグとがある。鉄鋼スラグは、スラグが生成する工程によって高炉スラグや製鋼スラグ等の種類に分けられるが、本発明では製鋼スラグを用いることがより好ましい。製鋼スラグは石灰の一部が遊離石灰分として含まれており、遊離石灰は水との反応性が高いため、同量のスラグを海水に添加した場合に、高炉スラグを用いるよりもｐＨを高くできるからである。また、コンクリート廃材も鉄鋼スラグと同様に石灰とシリカを主成分としており、水に接触させると、成分として含まれる石灰が水に溶出してアルカリ性を示すため、安価であることやリサイクルの面で好ましく用いることができる。
本発明においては、例えば製鋼スラグと高炉スラグとの混合物のように、複数の種類の上記固体を併用してもよい。
【００１１】
上記固体をバラスト水と接触させる手段としては、特に限定されるものではないが、例えば船舶のバラストタンク内にあらかじめ上記固体をそのまま入れる、あるいは袋や容器に充填したものを入れておく方法が挙げられる。この場合、バラスト水が漲水された時に上記固体とバラスト水とが接触し、水のｐＨが上昇する。さらに、バラストタンク内のバラスト水のｐＨが均一に上昇するよう、攪拌機等を用いてバラスト水を循環させてもよい。また、バラストタンク外に上記固体を充填したカラム等を設置し、そこにバラスト水をポンプ等を用いて循環させてもよい。
【００１２】
本発明においては、金属製錬スラグ又はコンクリート廃材をバラストタンク内に、バラスト水の漲水前あるいは漲水後に投入するという方法が安価で好ましい。
【００１３】
上記固体の形状は、塊状でも粒状でもよく特に限定されない。ただし、バラスト水との接触効率を考慮すると、上記固体の表面積は大きい方が好ましい。例えば鉄鋼スラグを用いる場合、鉄鋼スラグの粒径は２〜１０ｍｍの範囲内が好ましい。粒径がこの範囲内であれば少量で効率よくバラスト水のｐＨを上昇させることができる。
【００１４】
本発明では、上昇したバラスト水のｐＨの値は特に規定しないが、１０以上であることが好ましく、１１以上であることがさらに好ましい。
３種類の光合成プランクトンの生育速度のｐＨ依存性について調査したＨａｎｓｅｎの報告（Ａｑｕａｔｉｃ  Ｍｉｃｒｏｂｉａｌ  Ｅｃｏｌｏｇｙ、ｖｏｌ．２８（２００２）、ｐ．２７９−２８８）には、Ｃｅｒａｔｉｕｍ  ｌｉｎｅａｔｕｍ、Ｈｅｔｅｒｏｃａｐｓａ  ｔｒｉｑｕｅｔｒａ、Ｐｒｏｒｏｃｅｎｔｒｕｍ  ｍｉｎｉｍｕｍの生育速度は、それぞれｐＨが８．５、９．０、９．０以上になると減少し、８．８、９．５、９．６以上でマイナス、すなわち個体数が減少するという結果が記載されている。
上記文献の記載より、１０以上のｐＨを日単位で維持しつづけることにより、例えば、上記報告のようなプランクトンを所定の個体数まで減少させることができる。バラスト水の無害化はバラスト水を排水するまでに行う必要があるので、所定の期間内に有害な生物を死滅させるためには、より高いｐＨであることが好ましい。
【００１５】
本発明において、上昇したバラスト水のｐＨは、上記固体の種類や海水に対して接触させる上記固体の量等に依存する。したがって、船舶の航行スケジュールに合わせて、使用する上記固体の種類や量を設定することが好ましい。また、バラスト水は海水であるため、海水中のマグネシウムイオンがｐＨの緩衝能を有すること、また海水のｐＨには季節的な変動があることも考慮して設定することが好ましい。
【００１６】
例えば、粒径が２〜１０ｍｍの製鋼スラグをバラストタンク内に入れ、緩やかな攪拌のみを行う手段であれば、バラスト水と製鋼スラグとの質量比は３０：１〜３：１の範囲内であることが好ましい。質量比がこの範囲内であれば、バラスト水のｐＨを１０以上のアルカリ性に維持することができ、また必要以上に製鋼スラグを用いることなく安価にバラスト水を処理することができる。
高炉スラグをバラストタンク内に入れ、緩やかな攪拌のみを行う手段であれば、バラスト水と製鋼スラグとの質量比は１０：１〜３：１の範囲内であることが好ましい。質量比がこの範囲内であれば、バラスト水のｐＨを１０以上のアルカリ性に維持することができ、また必要以上に高炉スラグを用いることなく安価にバラスト水を処理することができる。
【００１７】
次に、本発明の船舶について説明する。本発明の船舶は、本発明のバラスト水の処理方法を用いてバラスト水に存在する生物を死滅させる手段を備えた船舶である。例えば、バラストタンク内で上記固体とバラスト水とが接触できる手段を有する船舶が挙げられる。例えば、上記固体をバラスト水の漲水前あるいは漲水後にバラストタンク内に投入できるよう、バラストタンクに投入口が設けられた船舶が挙げられる。又はバラスト水をバラストタンクに汲み入れる経路に、上記固体を混入する設備を有する船舶が挙げられる。上記固体をバラストタンク内に投入あるいは混合する手段は、人手でも、機械を用いてもよく、特に限定されない。また、上記固体の投入や量の調節が自動化されていてもよい。
通常に積込まれるバラスト水量は船舶載貨重量トンの２５〜３０％といわれており、船舶のサイズによっては上記固体を大量に用いることが必要となる。この場合、航行前にあらかじめバラストタンク内に上記固体を備えておくことが好ましい。
【００１８】
本発明のバラスト水の処理方法によれば、バラスト水がアルカリ性に維持されることにより、バラストタンクを構成する鋼板やバラスト水が接触する部位の腐食を防止することができる。
また、固体として鉄鋼スラグを用いた場合には、鉄鋼スラグ中に含まれるシリコン、リン、鉄等がバラスト水中に溶出し、バラスト水を排出した際に周辺の海水によって希釈され、植物プランクトンの栄養源となり、海洋中バイオマス量の増大、ひいては地球温暖化の原因とみなされる大気中の二酸化炭素の海洋への吸収促進に役立つ。
【００１９】
【実施例】
以下、本発明を実施例により更に詳細に説明する。なお、本発明の範囲は、かかる実施例に限定されないことはいうまでもない。
【００２０】
本発明の実施例における鉄鋼スラグとしては、下記に示すものを用いた。
＜鉄鋼スラグ＞
製鋼スラグ：粒径２〜１０ｍｍ、自然エージング約１ヶ月、ＣａＯ５２％、ＳｉＯ２１７％、Ａｌ２Ｏ３４％、Ｆｅ分１５％
高炉スラグ：粒径２〜１０ｍｍ、自然エージング約１ヶ月、ＣａＯ４２％、ＳｉＯ２３５％、Ａｌ２Ｏ３１４％、ＭｇＯ４％
【００２１】
実施例１
上記の製鋼スラグ及び高炉スラグを海水に添加した場合の、製鋼スラグ及び高炉スラグの添加量と海水のｐＨとの関係を図１に示す。また、製鋼スラグ及び高炉スラグの添加量は、海水と鉄鋼スラグとの質量比（以下、これを「液固比」と称する。）の自然対数で示した。すなわち、鉄鋼スラグの質量が１に対して海水の質量が１０の場合、液固比は１０となり、図中のグラフの横軸は、ｌｏｇ（液固比）＝１となる。
図１から明らかなように、製鋼スラグを海水に添加した場合、海水と製鋼スラグとの質量比が３０：１〜３：１の範囲であれば、海水のｐＨが１０以上となる。また、高炉スラグを海水に添加した場合、海水と高炉スラグとの質量比が１０：１〜３：１の範囲であれば、海水のｐＨが１０以上となる。
【００２２】
実施例２
光合成プランクトンであるＨｅｔｅｒｏｃａｐｓａ  ｔｒｉｑｕｅｔｒａを５０〜７０セル／ｍｌ含有する海水２リットルに製鋼スラグをそれぞれ２００ｇ（液固比＝１０）、２０ｇ（液固比＝１００）、２ｇ（液固比＝１０００）添加し、温度１５℃で７日間緩やかに攪拌した。７日撹拌した後、海水中に生存するＨｅｔｅｒｏｃａｐｓａ  ｔｒｉｑｕｅｔｒａの個体数を測定した。この時の海水のｐＨはそれぞれ１１．３、９．４、及び８．７であった。
得られた結果を、製鋼スラグを添加しない条件での結果（比較例１）と併せて表１に示す。
【００２３】
【表１】
2004338429.tif 000002
【００２４】
実施例３
赤潮の原因プランクトンの一種であるアレキサンドリウム・タマランセのシストを含有する海底泥を含む海水１リットルに、製鋼スラグを１００ｇ添加し、温度１５℃で７日間緩やかに攪拌した。鉄鋼スラグを海水から分離した後、シストを含む海水をシストの発芽環境にして３５日間放置した。その後、発芽したアレキサンドリウム・タマランセの有無を確認した。結果は、発芽したアレキサンドリウム・タマランセは確認されなかった。
なお、海底泥は、特許第２８０７７７５号に開示された方法（海底泥中の植物性プランクトンのシストを、蛍光染色により定量する方法）によりアレキサンドリウム・タマランセのシストの存在を確認してから用いた。
【００２５】
実施例２の結果から明らかなように、海水に製鋼スラグを添加することにより海水中のプランクトンを殺滅し、７日間で生存するプランクトンの個体数を１／３以下に減少させたことが確認された。また、実施例３では、プランクトンのシストも不活性化できることが確認された。
【００２６】
【発明の効果】
以上、詳しく説明したように、本発明によれば、安価で、効果的にバラストタンク内に存在する生物を死滅させるバラスト水の処理方法を提供することができる。
【図面の簡単な説明】
【図１】鉄鋼スラグを海水に添加した場合の、鉄鋼スラグの添加量と海水のｐＨとの関係を示すグラフである。
【図１】
2004338429.tif 000003